(57)【要約】【課題】注文した商品の再注文を手間をかけずに簡単に行えるようにするとともに、過去に注文した商品の近隣の商品も合わせて簡単に注文可能にすることで注文機会の損失を防止することが可能な注文端末装置及びプログラムを提供する。【解決手段】タッチパネル式の表示部からの入力情報を取得する取得部と、タブと当該タブに対応するビューア領域とを備えた表示画像を表示しビューア領域に表示されている複数の商品を表示部に注文可能に表示する制御を行う表示制御部と、取得部で取得された入力情報がビューア領域に表示されている商品を注文するものであった場合に注文された商品が表示されるタブとビューア領域とからなる表示画像をタブとビューア領域とを備えた新たな表示画像として作成する作成部とを備え、表示制御部は作成部により作成された新たな表示画像のタブと他の表示画像のタブとを選択可能に表示する。【選択図】図９
2020149525.tif 000002
【特許請求の範囲】
【請求項１】
タッチパネル式の表示部からの入力情報を取得する取得部と、
タブと当該タブに対応するビューア領域とを備えた表示画像を表示し、当該ビューア領域に表示されている複数の商品を前記表示部に注文可能に表示する制御を行う表示制御部と、
前記取得部で取得された入力情報が、前記ビューア領域に表示されている商品を注文するものであった場合に、当該注文された商品が表示されるタブとビューア領域とからなる前記表示画像を、当該タブとビューア領域とを備えた新たな表示画像として作成する作成部と、を備え、
前記表示制御部は、前記作成部により作成された新たな表示画像のタブと、他の表示画像のタブとを選択可能に表示する
注文端末装置。
【請求項２】
前記新たな表示画像には、前記取得部で取得された入力情報により、注文された商品が、他の商品とは異なる表示態様で表示される請求項１に記載の注文端末装置。
【請求項３】
前記作成部は、前記新たな表示画像を、前記取得部で商品が注文される毎に作成する
請求項１又は２に記載の注文端末装置。
【請求項４】
前記取得部で取得された入力情報が、前記ビューア領域に表示されている商品を注文するものであった場合に、当該注文された順番を記憶し、
前記新たな表示画像のタブには、注文された前記順番に基づく表示がされる請求項１〜３のいずれか１項に記載の注文端末装置。
【請求項５】
前記新たな表示画像のタブには、前記取得部で取得された入力情報により、注文された商品の名称が表示される請求項１〜３のいずれか１項に記載の注文端末装置。
【請求項６】
コンピュータに、
タッチパネル式の表示部からの入力情報を取得する工程と、
タブと当該タブに対応するビューア領域とを備えた表示画像を表示し、当該ビューア領域に表示されている商品を前記表示部に注文可能に表示する制御を行う工程と、
前記取得する工程で取得された入力情報が、前記ビューア領域に表示されている商品を注文するものであった場合に、当該注文された商品が表示されるタブとビューア領域とからなる前記表示画像を、当該タブとビューア領域とを備えた新たな表示画像として作成する工程と、
前記作成する工程により作成された新たな表示画像のタブと、他の表示画像のタブとを選択可能に表示する工程と、
を実行させるためのプログラム。
【発明の詳細な説明】
【技術分野】
【０００１】
本発明は、注文端末装置、及びプログラムに関する。
【背景技術】
【０００２】
近年、飲食店、特に、居酒屋や焼き肉店のように、注文回数が比較的多い飲食店において、客が操作し、客自身で注文を入力する注文端末装置と、複数の出力装置（プリンタ・ディスプレイ）と、これらを制御するオーダー管理装置から構成される、いわゆるテーブルトップオーダリングシステムが導入されている。
【０００３】
かかるテーブルトップオーダリングシステムでは、客がそれぞれで直接注文入力を行う。
そのため、メニューの入力については、客にわかりやすいように、メニューをそれぞれ分類、階層化し、階層をたどる形で入力するのが一般的であるが、メニューの分類や階層は、店舗によって独自に設定されているものであるため、なかなか目的のメニューを探し出せないことがある。
【０００４】
また、客は前に注文したメニューをまた頼みたいという要求がある。
しかしながら、客は当該メニューがどの分類にあったかというようなことはあまり覚えていない。そのため、また一から当該メニューを探すのが面倒になり、注文をあきらめてしまうこともある。    
このような注文機会の損失を防止するため、一度注文したメニューについては、当該端末の注文履歴を参照し、注文入力済みのメニューを一覧で表示し、そこから再注文可能にする方法が開示されている（特許文献１）。
【先行技術文献】
【特許文献】
【０００５】
【特許文献１】特開２００５−４３１７号公報
【発明の概要】
【発明が解決しようとする課題】
【０００６】
さらに、客の要求には、前に注文したメニューの類似のメニューを注文したいということもある。
例えば、前にサーモンの寿司を頼んでいたとして、今度はアボカドサーモンや、炙りサーモンなどの、サーマンの寿司に類似するメニューを頼みたいというような要望である。
このような場合、さっき注文したメニューの横にあったというような記憶はあるが、分類を覚えていないと、同じように、また一から当該メニューを探さなければならない。
【０００７】
そこで、本願発明は、上記の点に鑑みてなされたものであり、過去に注文した商品の再注文を、手間をかけずに簡単に行えるようにするとともに、過去に注文した商品の近隣の商品も合わせて簡単に注文可能にすることで、注文機会の損失を防止することが可能な注文端末装置、及びプログラムを提供することを目的とする。
【課題を解決するための手段】
【０００８】
本発明は、タッチパネル式の表示部からの入力情報を取得する取得部と、タブと当該タブに対応するビューア領域とを備えた表示画像を表示し、当該ビューア領域に表示されている複数の商品を前記表示部に注文可能に表示する制御を行う表示制御部と、前記取得部で取得された入力情報が、前記ビューア領域に表示されている商品を注文するものであった場合に、当該注文された商品が表示されるタブとビューア領域とからなる前記表示画像を、当該タブとビューア領域とを備えた新たな表示画像として作成する作成部と、を備え、前記表示制御部は、前記作成部により作成された新たな表示画像のタブと、他の表示画像のタブとを選択可能に表示する。
【０００９】
本発明によれば、過去に注文した商品の再注文を、手間をかけずに簡単に行えるようにするとともに、過去に注文した商品の近隣の商品も合わせて簡単に注文可能にすることで、注文機会の損失を防止することが可能な注文端末装置を提供することが可能となる。
【００１０】
また、本発明は、前記新たな表示画像には、前記取得部で取得された入力情報により、注文された商品が、他の商品とは異なる表示態様で表示される。
【００１１】
本発明によれば、表示された商品の中から既に注文されている商品を簡単に認識することができる注文端末装置を提供することが可能となる。
【００１２】
また、本発明は、前記作成部は、前記新たな表示画像を、前記取得部で商品が注文される毎に作成する。
【００１３】
本発明によれば、全ての注文履歴を元に新たな表示画像を作成できる注文端末装置を提供することが可能となる。
【００１４】
また、本発明は、前記取得部で取得された入力情報が、前記ビューア領域に表示されている商品を注文するものであった場合に、当該注文された順番を記憶し、前記新たな表示画像のタブには、注文された前記順番に基づく表示がされる。
【００１５】
本発明によれば、タブの名称を見ることで、何回目の追加で注文した商品であるかなどの大まかな記憶が残っている場合に、再度商品を頼む際の目安にすることができる注文端末装置を提供することが可能となる。
【００１６】
また、本発明は、前記新たな表示画像のタブには、前記取得部で取得された入力情報により、注文された商品の名称が表示される。
【００１７】
本発明によれば、タブの名称を見ることで、再度商品を簡単に頼むことができる注文端末装置を提供することが可能となる。
【００１８】
また、本発明は、コンピュータに、タッチパネル式の表示部からの入力情報を取得する工程と、タブと当該タブに対応するビューア領域とを備えた表示画像を表示し、当該ビューア領域に表示されている商品を前記表示部に注文可能に表示する制御を行う工程と、前記取得する工程で取得された入力情報が、前記ビューア領域に表示されている商品を注文するものであった場合に、当該注文された商品が表示されるタブとビューア領域とからなる前記表示画像を、当該タブとビューア領域とを備えた新たな表示画像として作成する工程と、前記作成する工程により作成された新たな表示画像のタブと、他の表示画像のタブとを選択可能に表示する工程と、を実行させる。
【００１９】
本発明によれば、過去に注文した商品の再注文を、手間をかけずに簡単に行えるようにするとともに、過去に注文した商品の近隣の商品も合わせて簡単に注文可能にすることで、注文機会の損失を防止することができるプログラムを提供することが可能となる。
【発明の効果】
【００２０】
本発明によれば、過去に注文した商品の再注文を、手間をかけずに簡単に行えるようにするとともに、過去に注文した商品の近隣の商品も合わせて簡単に注文可能にすることで、注文機会の損失を防止することが可能な注文端末装置、及びプログラムを提供することができる。
【図面の簡単な説明】
【００２１】
【図１】本発明の実施の形態に係る決済処理システムの概略構成図である。
【図２】本発明の実施の形態に係る注文端末装置の概略ブロック図である。
【図３】本発明の実施の形態に係るオーダー管理装置の概略ブロック図である。
【図４】本発明の実施の形態に係る注文端末装置の機能構成の例を示すブロック図である。
【図５】本発明の実施の形態に係るメニュー画面構成テーブルを説明するための説明図である。
【図６】本発明の実施の形態に係る注文端末装置の表示部に表示されるメニュー画面の表示の一例を説明するための説明図である。
【図７】本発明の実施の形態に係る注文端末装置の記憶部に記憶される注文履歴の一例を説明するための説明図である。
【図８】本発明の実施の形態に係る注文端末装置の作成部により作成される新たな表示画像の分類テーブルを示す説明図である。
【図９】本発明の実施の形態に係る注文端末装置の表示部に表示される新たな表示画像の表示の一例を説明するための説明図である。
【図１０】本発明の実施の形態に係る注文端末装置の表示部に表示される新たな表示画像の表示の他の一例を説明するための説明図である。
【図１１】本発明の実施の形態に係る注文端末装置の表示部に表示される新たな表示画像の表示の他の一例を説明するための説明図である。
【図１２】本発明の実施の形態での作成処理の一例を示すフローチャートである。
【発明を実施するための形態】
【００２２】
以下、本発明の実施形態の一例を、図面を参照しつつ説明する。なお、各図面において同一または等価な構成要素および部分には同一の参照符号を付与している。また、図面の寸法比率は、説明の都合上誇張されており、実際の比率とは異なる場合がある。
【００２３】
図１は、本実施の形態に係る注文処理システム１０の概略構成の一例を示す図である。
図１に示すように、本実施の形態に係る注文処理システム１０は、飲食店などの店舗内に収容されており、複数の注文端末装置１００と、オーダー管理装置２００と、プリンター３００と、調理・配膳用ディスプレイ４００とを備えている。
【００２４】
なお、オーダー管理装置２００は、店舗内に収容される場合に限定されず、インターネット回線などを通じて注文端末装置１００、プリンター３００、調理・配膳用ディスプレイ４００と接続されることにより、店舗外に設置されても良い。
【００２５】
注文端末装置１００は、店舗の客が商品を注文する際に使用する装置であり、本実施の形態では、タブレット型の端末装置である。注文端末装置１００は、例えば、無線ＬＡＮ（Ｌｏｃａｌ  Ａｒｅａ  Ｎｅｔｗｏｒｋ）、インターネットなどの無線通信を介してオーダー管理装置２００と通信を行う。
ここで、注文端末装置１００がオーダー管理装置２００に送信する情報は、客の人数や卓の情報、及び、注文された商品の番号、商品名、その数量、注文が入力された日時を示す日時情報等の注文情報等である。
なお、注文端末装置１００は、無線通信を介してオーダー管理装置２００と通信を行う場合に限定されず、有線ネットワークを介してオーダー管理装置２００と通信を行っても良い。
【００２６】
オーダー管理装置２００は、本実施の形態では、注文端末装置１００から入力された注文情報等に応じて、プリンター３００にお客様伝票を印刷させる等や、調理・配膳用ディスプレイ４００に注文状況を表示される等の制御を行う。
【００２７】
プリンター３００は、会計の際に使用するお客様伝票などを印刷する装置である。プリンター３００は、例えば、無線ＬＡＮ、インターネットなどの無線通信を介してオーダー管理装置２００と通信を行う。
オーダー管理装置２００からプリンター３００に送信される情報は、お客様伝票を印字するための情報である伝票イメージ等である。
なお、プリンター３００は、無線通信を介してオーダー管理装置２００と通信を行う場合に限定されず、有線ネットワークを介してオーダー管理装置２００と通信を行っても良い。
【００２８】
調理・配膳用ディスプレイ４００は、調理や配膳の際に参照する情報が表示される装置である。調理・配膳用ディスプレイは、例えば、無線ＬＡＮ、インターネットなどの無線通信を介してオーダー管理装置２００と通信を行う。
オーダー管理装置２００から調理・配膳用ディスプレイ４００に送信される情報は、注文された商品の一覧、注文された商品が今どのような状況であるかの注文状況、注文してからどのくらいの時間が経っているのか、などの情報である。
なお、調理・配膳用ディスプレイ４００は、無線通信を介してオーダー管理装置２００と通信を行う場合に限定されず、有線ネットワークを介してオーダー管理装置２００と通信を行っても良い。
【００２９】
（注文端末装置１００）
図２は、本実施の形態に係る注文端末装置１００のブロック図である。
図２に示すように、本実施の形態に係る注文端末装置１００は、制御部１０１、記憶部１０２、表示部１０３、入力部１０４、通信部１０５を備えている。
各構成は、バス１０６を介して相互に通信可能に接続されている。
【００３０】
制御部１０１は、ＣＰＵ（Ｃｅｎｔｒａｌ  Ｐｒｏｃｅｓｓｉｎｇ  Ｕｎｉｔ）を備え、各種プログラムを実行したり、注文端末装置１００の各部を制御したりする。すなわち、制御部１０１は、記憶部１０２に記録されているプログラムに基づいて、上記各構成の制御及び各種の演算処理を行う。
【００３１】
記憶部１０２は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）を備え、オペレーティングシステムを含む各種プログラム、情報を記憶する。ここで、記憶部１０２に記憶される情報としては、例えば、注文可能なメニューに関するメニュー情報などや、注文履歴などがある。
【００３２】
表示部１０３は、例えば、液晶ディスプレイであり、制御部１０１の制御に応じて各種の情報を表示する。
【００３３】
また、表示部１０３は、タッチパネル方式を採用して、入力部１０４として機能する。
入力部１０４により入力される情報としては、商品を注文する情報、注文を確定する情報などが含まれる。
通信部１０５は、無線ＬＡＮなどの無線通信により、オーダー管理装置２００と通信する。
【００３４】
ここで、記憶部１０２に記憶されているプログラムは、注文端末装置１００に予めインストールされていても良い。また、プログラムは、不揮発性の記憶媒体に記憶して、又はネットワークを介して配布し、注文端末装置１００に適宜インストールすることで実現しても良い。なお、不揮発性の記憶媒体の例としては、ＣＤ−ＲＯＭ（Ｃｏｍｐａｃｔ  Ｄｉｓｋ  Ｒｅａｄ  Ｏｎｌｙ  Ｍｅｍｏｒｙ）、ＤＶＤ−ＲＯＭ（Ｄｉｇｉｔａｌ  Ｖｅｒｓａｔｉｌｅ  Ｄｉｓｋ  Ｒｅａｄ  Ｏｎｌｙ  Ｍｅｍｏｒｙ）、及びＵＳＢ（Ｕｎｉｖｅｒｓａｌ  Ｓｅｒｉａｌ  Ｂｕｓ）メモリ、メモリカード等が想定される。
【００３５】
（オーダー管理装置２００）
図３は、本実施の形態に係るオーダー管理装置２００のブロック図である。
図３に示すように、本実施の形態に係るオーダー管理装置２００は、制御部２０１、記憶部２０２、通信部２０３、入力部２０４、表示部２０５、を備えている。
各構成は、バス２０６を介して相互に通信可能に接続されている。
【００３６】
制御部２０１は、ＣＰＵを備え、各種プログラムを実行したり、オーダー管理装置２００の各部を制御したりする。すなわち、制御部２０１は、記憶部２０２に記録されているプログラムに基づいて、上記各構成の制御及び各種の演算処理を行う。
また、制御部２０１は、注文端末装置１００から入力された注文情報等に基づき、伝票イメージを作成し、プリンター３００に印刷指示し、調理・配膳用ディスプレイ４００に表示する。
【００３７】
記憶部２０２は、ＲＯＭ、ＲＡＭを備え、オペレーティングシステムを含む各種プログラム、情報を記憶する。
記憶部２０２として、例えば、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、フラッシュメモリ等が用いられる。
【００３８】
ここで、記憶部２０２に記憶されているプログラムは、オーダー管理装置２００に予めインストールされていても良い。また、プログラムは、不揮発性の記憶媒体に記憶して、又はネットワークを介して配布し、オーダー管理装置２００に適宜インストールすることで実現しても良い。なお、不揮発性の記憶媒体の例としては、ＣＤ−ＲＯＭ、ＤＶＤ−ＲＯＭ、及びＵＳＢメモリ、メモリカード等が想定される。
【００３９】
通信部２０３は、注文端末装置１００、プリンター３００等の他の機器と通信するものであり、無線ＬＡＮなどを介して注文端末装置１００、プリンター３００から受信した情報を制御部２０１に出力し、又、制御部２０１から入力された入力情報を、無線ＬＡＮなどを介して注文端末装置１００、プリンター３００、調理・配膳用ディスプレイ４００に送信する。
【００４０】
入力部２０４は、キーボードや、マウス等のポインティングデバイスを含み、各種の入力を行うために使用される。
【００４１】
表示部２０５は、例えば、液晶ディスプレイであり、制御部２０１の制御に応じて各種の情報を表示する。
また、表示部２０５は、タッチパネル方式を採用して、入力部２０４として機能しても良い。
【００４２】
（プリンター３００）
プリンター３００は、会計で使用するお客様伝票などを印刷するものである。
【００４３】
（調理・配膳用ディスプレイ４００）
調理・配膳用ディスプレイ４００は、注文の一覧、注文が今どのような状況か、注文してからどのくらいの時間が経っているのか、などを表示するものである。
【００４４】
上記のプログラムを実行する際に、注文端末装置１００は、上記のハードウェア資源を用いて、各種の機能を実現する。
注文端末装置１００が実現する機能構成について説明する。
図４は、注文端末装置１００の制御部（ＣＰＵ）１０１の機能構成の例を示すブロック図である。
【００４５】
図４に示すように、注文端末装置１００は、機能構成として、取得部１１０、表示制御部１２０、作成部１３０を有する。各機能構成は、制御部（ＣＰＵ）１０１が記憶部１０２に記憶されたプログラムを読み出し、実行することにより実現される。
【００４６】
（取得部１１０）
取得部１１０は、少なくとも、タッチパネル式の表示部１０３である入力部１０４からの入力情報として、例えば、商品の注文情報を取得するものである。
【００４７】
（表示制御部１２０）
表示制御部１２０は、タブＴと当該タブＴに対応するビューア領域Ｖとを備えた表示画像を表示し、当該ビューア領域Ｖに表示されている複数の商品を表示部１０３に注文可能に表示する制御を行うものである。
ここで、表示制御部１２０により表示される表示画像は、図６を用いて後述する。
【００４８】
また、表示制御部１２０は、作成部１３０により作成された新たな表示画像のタブＴと、他の表示画像のタブＴとを選択可能に表示する。
すなわち、表示制御部１２０は、新たな表示画像を表示しつつ、既存の表示画像についても表示することで、新たな表示画像のビューア領域Ｖに表示される商品だけではなく、既存の表示画像のビューア領域Ｖに表示される商品も新たな表示画像を表示する前と同様、注文可能としている。
【００４９】
そのため、一度注文した商品については、既存の表示画像のビューア領域Ｖでも、新たな表示画像のビューア領域Ｖでも注文することが可能となっている。
また、一度注文した商品だけではなく、一度注文した商品と同じビューア領域Ｖで表示される商品についても、新たな表示画像のビューア領域Ｖに表示されることとなるため、一度注文した商品と関連する商品の注文を促すことも可能となっている。
【００５０】
ここで、表示制御部１２０により表示される新たな表示画像の表示態様については、図９〜図１１を用いて後述する。
【００５１】
また、表示制御部１２０は、表示部１０３に表示させた表示画像の分類ＣやタブＴが選択された場合に、選択された分類ＣやタブＴに対応するビューア領域Ｖを、既に表示されているビューア領域Ｖと切り替えて表示部１０３に表示させる制御を行う。
例えば、後述する図６（Ａ）に示す、分類Ｃ「料理」、タブＴ「肴」が選択され、当該タブＴ「肴」に対応するビューア領域Ｖが表示されている状態で、入力部１０４によりタブＴ「一品」が選択された場合は、ビューア領域Ｖを、タブＴ「肴」に対応するビューア領域Ｖから、タブＴ「一品」に対応するビューア領域Ｖに切り替えて表示させる。
【００５２】
（作成部１３０）
作成部１３０は、取得部１１０で取得された入力情報が、ビューア領域Ｖに表示されている商品を注文するものであった場合に、当該注文された商品が表示されるタブＴとビューア領域Ｖとからなる表示画像を、当該タブＴとビューア領域Ｖとを備えた新たな表示画像として作成するものである。
【００５３】
すなわち、記憶部１０２に記憶される注文履歴（図７参照）から、当該注文された商品が表示されるタブＴとビューア領域Ｖとからなる表示画像を複製し、別のタブＴとビューア領域Ｖとからなる表示画像を作成するものである。
そのため、既存の表示画像のタブＴとビューア領域Ｖとは、そのまま表示制御部１２０により表示されると共に、新たな表示画像のタブＴとビューア領域Ｖとしても表示制御部１２０により表示されることとなる。
【００５４】
また、作成部１３０は、新たな表示画像を、取得部１１０で商品が注文される毎に作成する。
すなわち、商品が注文されるにつれ、表示画像が増えていくことになる。
なお、同じ表示画像のビューア領域Ｖに表示される商品が注文された場合、例えば、図６に示す枝豆とキムチとが別の機会に注文され、既に枝豆の新たな表示画像が作成されている場合は、キムチが注文された場合であっても新たな表示画像を作成しないようにしている。
また、新たな表示画像の数に上限を設定し、上限に達した場合は、新たな表示画像の作成と、最も古い新たな表示画像の削除とを行うようにしても良い。
【００５５】
図５、図６を用いて、メニュー画面の表示について説明する。
図５は、本実施の形態におけるタブＴに対応するビューア領域Ｖに表示されるメニューについてのメニュー画面構成テーブルの一例を示すものである。
【００５６】
例えば、図５の分類Ｃ「Ｂ０１」は、図６の分類Ｃ「料理」に表示されるメニューを設定するものである。
そして、サブ分類「ＳＢ１」は、タブＴ「肴」に表示されるメニューを設定するものである。タブＴ「肴」には、メニューとして、「枝豆」、「キムチ」、「さつま揚げ」、「冷奴」、「明太子」、「しめサバ」、「もずく酢」、「しらすおろし」、「蓮根きんぴら」があり、そのうち、「枝豆」、「キムチ」、「さつま揚げ」、「冷奴」、「明太子」、「しめサバ」をビューア領域Ｖの１頁目に、「もずく酢」、「しらすおろし」、「蓮根きんぴら」を２頁目に、それぞれ表示する。
なお、図６は、ビューア領域Ｖにメニューの名称を表示しているが、これに限定されず、メニューのイメージ画像を表示しても良いし、又、名称とイメージ画像の両方を表示しても良い。
【００５７】
また、一度に表示される画面構成には、画面番号が付与されている。
例えば、タブＴ「肴」の１頁目は「Ｂ０１−ＳＢ１−１」、２頁目は「Ｂ０１−ＳＢ１−２」の画面番号が付与されている。
かかる画面番号は、後述する図７の注文履歴として記憶される。
【００５８】
また、メニューにはコード番号が付与されている。
例えば、「枝豆」には「６０６１」、「キムチ」には「１２００」がコード番号付与されている。
かかるコード番号は、後述する図７の注文履歴として記憶される。
【００５９】
同様に、分類Ｃ「Ｂ０２」は、図６の分類Ｃ「ドリンク」に表示されるメニューを設定するものである。
そして、サブ分類「ＳＢ１」は、タブＴ「ビール」に表示されるメニューを設定するものである。タブＴ「ビール」には、メニューとして、「生ビール（中）」、「生ビール（大）」、「生ビール（小）」があり、これらをビューア領域Ｖに表示する。
【００６０】
また、かかるタブＴ「ビール」の画面構成には、「Ｂ０２−ＳＢ１−１」の画面番号が付与されている。
【００６１】
同様に、分類Ｃ「Ｂ０４」は、図６の分類Ｃ「その他」に表示されるメニューを設定するものである。
そして、サブ分類「ＳＢ４」は、タブＴ「サラダ」に表示されるメニューを設定するものである。タブＴ「サラダ」には、メニューとして、「シーザーサラダ」、「グリーンサラダ」、「バーニャカウダ」があり、これらをビューア領域Ｖに表示する。
【００６２】
また、かかるタブＴ「サラダ」の画面構成には、「Ｂ０４−ＳＢ４−１」の画面番号が付与されている。
【００６３】
図６は、本実施の形態における表示部１０３に表示されるメニュー画面の表示の一例を示すものである。
図６（Ａ）は、分類Ｃ「料理」が選択され、サブ分類「肴」が選択されている状態の表示例を示すものである。
図６（Ａ）のビューア領域Ｖには、図５の分類Ｃ「Ｂ０１」、サブ分類「ＳＢ１」の１頁目のメニュー、すなわち、図５で付与されている画面番号「Ｂ０１−ＳＢ１−１」に対応する画面が表示されている。
【００６４】
同様に、図６（Ｂ）は、分類Ｃ「その他」が選択され、サブ分類「サラダ」が選択されている状態の表示例を示すものである。
図６（Ｂ）のビューア領域Ｖには、図５の分類Ｃ「Ｂ０４」、サブ分類「ＳＢ４」のメニュー、すなわち、図５で付与されている画面番号「Ｂ０４−ＳＢ４−１」に対応する画面が表示されている。
【００６５】
図７は、本実施の形態における記憶部２０２に記憶される注文履歴の一例を示すものである。
例えば、１回目の商品の注文である「新規１」には、コード番号「６０６１」の「枝豆」が１個、コード番号「６３０３」の「生ビール（中）」が３個、注文されたことが記憶される。
また、２回目の商品の注文である「追加１」には、コード番号「５４０１」の「シーザーサラダ」が１個注文されたことが記憶される。
また、全ての注文された商品について、シリアル番号が１から順に付与されて記憶される。
【００６６】
図８は、本実施の形態における図７に示す注文履歴から作成部１３０により作成される新たな表示画像の分類テーブルの一例を示すものである。
【００６７】
分類Ｃ「Ｂ００」は、新たな表示画像に付与された分類番号であり、分類Ｃの名称は「同じもの」という名称が付けられて記憶部１０２に記憶される。
サブ分類「１」には、図７に示す注文履歴のシリアル番号「１」が割り当てられ、シリアル番号「１」の注文履歴である「枝豆」が表示される画面番号「Ｂ０１−ＳＢ１−１」（図５参照）のタブＴとビューア領域Ｖとが設定され記憶部１０２に記憶される。
【００６８】
また、サブ分類「２」には、図７に示す注文履歴のシリアル番号「２」が割り当てられ、シリアル番号「２」の注文履歴である「生ビール（中）」が表示される画面番号「Ｂ０２−ＳＢ１−１」（図５参照）のタブＴとビューア領域Ｖとが設定され記憶部１０２に記憶される。
【００６９】
また、サブ分類「３」には、図７に示す注文履歴のシリアル番号「３」が割り当てられ、シリアル番号「２」の注文履歴である「シーザーサラダ」が表示される画面番号「Ｂ０４−ＳＢ４−１」（図５参照）のタブＴとビューア領域Ｖとが設定され記憶部１０２に記憶される。
【００７０】
図９〜図１１は、本実施の形態における新たな表示画像の表示の一例を示すものである。
図９は、新たな表示画像のタブＴの名称を、注文履歴のシリアル番号と一致させたものであり、タブＴの名称の数字を見ることで、食事の始めの頃に頼んだ商品を再度頼みたい場合は、小さい数字のタブＴを選択し、頼んだばかりの商品を再度頼みたい場合は、大きい数字のタブＴを選択するなどにより、再度商品を頼む際の目安にすることが可能となる。
【００７１】
具体的には、図９（Ａ）は、図８の枝豆を頼んだ場合の表示例を示し、分類Ｃ「同じもの」に、枝豆が表示される画面番号「Ｂ０１−ＳＢ１−１」のタブＴとビューア領域Ｖとが表示されている。これは、図６（Ａ）に示す枝豆のビューア領域Ｖと同じである。
また、図９（Ｂ）は、図８のシーザーサラダを頼んだ場合の表示例を示し、分類Ｃ「同じもの」に、シーザーサラダが表示される画面番号「Ｂ０４−ＳＢ４−１」のタブＴとビューア領域Ｖとが表示されている。これは、図６（Ｂ）に示す枝豆のビューア領域Ｖと同じである。
すなわち、注文履歴から、注文された商品のビューア領域Ｖと同じビューア領域Ｖが新たに作成されて、表示されることとなる。
【００７２】
また、図９の表示例では、注文された商品が、他の商品とは異なる表示態様で表示されるようにしている。
すなわち、図９（Ａ）では、枝豆の注文履歴を元に作成された表示画像であるため、枝豆のメニュー部分を他の商品であるキムチ、さつま揚げ、冷奴、明太子、しめサバとは異なる表示態様として、枝豆を注文していたことが分かるような表示、例えば、枝豆のメニュー部分のみ目立つように枠線を二重にするなどの表示が行われる。
なお、他の商品とは異なる表示態様には、枠線を二重にする場合の他、色を変えることや、他の商品よりもメニューの表示サイズを大きくすること、など種類を問わない。
【００７３】
また、同様に、図９（Ｂ）では、シーザーサラダの注文履歴を元に作成された表示画像であるため、シーザーサラダのメニュー部分を他の商品であるグリーンサラダ、バーニャカウダとは異なる表示態様として、シーザーサラダを注文していたことが分かるような表示、例えば、シーザーサラダのメニュー部分のみ目立つように枠線を二重にするなどの表示が行われる。
【００７４】
図１０は、新たな表示画像のタブＴの名称を、注文された順番に基づく表示がされるものの表示例である。
本表示のために、取得部１１０で取得された入力情報が、ビューア領域Ｖに表示されている商品を注文するものであった場合に、当該注文された順番を記憶する。なお、注文された順番は、ビューア領域Ｖに表示されている商品を選択後、注文ボタン（図示せず）を選択することで注文されたこととなる。
かかる表示をすることにより、タブＴの名称を見ることで、何回目の追加で注文した商品であるかなどの大まかな記憶が残っている場合に、再度商品を頼む際の目安にすることが可能となる。
【００７５】
具体的には、図１０（Ａ）に示すように、１回目の注文で、枝豆と生ビール(中）３杯が注文された場合は、注文が確定された順番に基づく表示として、「新規１」の名称を、１回目の注文の１つめの商品である枝豆に「新規１−１」とし、１回目の注文の２つめの商品である生ビール(中）に「新規１−２」として表示し、図１０（Ｂ）に示すように、２回目の注文、すなわち、１回目の追加注文で、シーザーサラダが注文された場合は、注文が確定された順番に基づく表示として、「追加１」の名称を表示する。
【００７６】
ビューア領域Ｖの表示例は、図９と同様であるが、図１０（Ａ）は、図８の枝豆を頼んだ場合の表示例を示し、分類Ｃ「同じもの」に、枝豆が表示される画面番号「Ｂ０１−ＳＢ１−１」のタブＴとビューア領域Ｖとが表示されている。これは、図６（Ａ）に示す枝豆のビューア領域Ｖと同じである。
また、図１０（Ｂ）は、図８のシーザーサラダを頼んだ場合の表示例を示し、分類Ｃ「同じもの」に、シーザーサラダが表示される画面番号「Ｂ０４−ＳＢ４−１」のタブＴとビューア領域Ｖとが表示されている。これは、図６（Ｂ）に示す枝豆のビューア領域Ｖと同じである。
すなわち、注文履歴から、注文された商品のビューア領域Ｖと同じビューア領域Ｖが新たに作成されて、表示されることとなる。
【００７７】
図１１は、新たな表示画像のタブＴの名称を、注文された商品の名称が表示されるものの表示例である。
かかる表示をすることにより、タブＴの名称を見ることで、再度商品を簡単に頼むことが可能となる。
【００７８】
具体的には、図１１（Ａ）に示すように、枝豆とシーザーサラダとが注文された場合は、枝豆のビューア領域ＶのタブＴに「枝豆」の名称を表示し、シーザーサラダのビューア領域ＶのタブＴに「シーザーサラダ」の名称を表示する。
【００７９】
ビューア領域Ｖの表示例は、図９と同様であるが、図１１（Ａ）は、図８の枝豆を頼んだ場合の表示例を示し、分類Ｃ「同じもの」に、枝豆が表示される画面番号「Ｂ０１−ＳＢ１−１」のタブＴとビューア領域Ｖとが表示されている。これは、図６（Ａ）に示す枝豆のビューア領域Ｖと同じである。
また、図１１（Ｂ）は、図８のシーザーサラダを頼んだ場合の表示例を示し、分類Ｃ「同じもの」に、シーザーサラダが表示される画面番号「Ｂ０４−ＳＢ４−１」のタブＴとビューア領域Ｖとが表示されている。これは、図６（Ｂ）に示す枝豆のビューア領域Ｖと同じである。
すなわち、注文履歴から、注文された商品のビューア領域Ｖと同じビューア領域Ｖが新たに作成されて、表示されることとなる。
【００８０】
次に、本実施の形態における注文端末装置１００の作用について説明する。
図１２は、注文端末装置１００による新たな表示画像の作成処理の流れを示すフローチャートである。制御部１０１が記憶部１０２からプログラムを読み出して、展開して実行することにより、作成処理が行なわれる。
【００８１】
図１２を用いて、注文端末装置１００による作成処理の流れの一例を説明する。
まず、ステップＳ１００において、取得部１１０により、入力部１０４により入力された商品の注文情報が取得される。そして、次のステップＳ１１０に進む。
ステップＳ１１０において、記憶部１０２により、注文された商品の履歴が注文履歴として記憶される。そして、次のステップＳ１２０に進む。
【００８２】
ステップＳ１２０において、作成部１３０により、ステップＳ１１０において記憶された注文履歴から新たな表示画像が作成される。そして、次のステップＳ１３０に進む。
ステップＳ１３０において、表示制御部１２０により、表示部１０３にステップＳ１２０において作成された新たな表示画像が、既存の表示画像と共に表示される。
そして、処理を終了する。
【００８３】
なお、上述した実施の形態では、作成部１３０を注文端末装置１００に備えさせたが、これに限定されず、オーダー管理装置２００に備えさせても良い。
この場合には、オーダー管理装置２００が注文履歴から、新たな表示画像を作成し、注文端末装置１００に表示させることとなる。
【００８４】
本実施の形態によれば、過去に注文した商品の再注文を、手間をかけずに簡単に行えるようにするとともに、過去に注文した商品の近隣の商品も合わせて簡単に注文可能にすることで、注文機会の損失を防止することが可能な注文端末装置を提供することが可能となる。
【００８５】
また、本実施の形態によれば、表示された商品の中から既に注文されている商品を簡単に認識することができる注文端末装置を提供することが可能となる。
【００８６】
また、本実施の形態によれば、全ての注文履歴を元に新たな表示画像を作成できる注文端末装置を提供することが可能となる。
【００８７】
また、本実施の形態によれば、タブＴの名称を見ることで、何回目の追加で注文した商品であるかなどの大まかな記憶が残っている場合に、再度商品を頼む際の目安にすることができる注文端末装置を提供することが可能となる。
【００８８】
また、本実施の形態によれば、タブＴの名称を見ることで、再度商品を簡単に頼むことができる注文端末装置を提供することが可能となる。
【００８９】
また、本実施の形態によれば、過去に注文した商品の再注文を、手間をかけずに簡単に行えるようにするとともに、過去に注文した商品の近隣の商品も合わせて簡単に注文可能にすることで、注文機会の損失を防止することができるプログラムを提供することが可能となる。
【符号の説明】
【００９０】
１０   注文処理システム
１００ 注文端末装置
１０１ 制御部
１０２ 記憶部
１０３ 表示部
１０４ 入力部
１０５ 通信部
１０６ バス
１１０ 取得部
１２０ 表示制御部
１３０ 作成部
２００ オーダー管理装置
２０１ 制御部
２０２ 記憶部
２０３ 通信部
２０４ 記憶部
２０４ 入力部
２０５ 表示部
２０６ バス
３００ プリンター
４００ 調理・配膳用ディスプレイ
Ｖ  ビューア領域
Ｃ  分類
Ｔ  タブ
【図１】
2020149525.tif 000003
【図２】
2020149525.tif 000004
【図３】
2020149525.tif 000005
【図４】
2020149525.tif 000006
【図５】
2020149525.tif 000007
【図６】
2020149525.tif 000008
【図７】
2020149525.tif 000009
【図８】
2020149525.tif 000010
【図９】
2020149525.tif 000011
【図１０】
2020149525.tif 000012
【図１１】
2020149525.tif 000013
【図１２】
2020149525.tif 000014